(57)【要約】【課題】  ＩＳＯ９６６０規格に則ったファイル構造で記録されている記録媒体のディレクトリの検索及びファイルの選択を、規格上用意されているパステーブルを使用することなく効率よく行う。【解決手段】  光ディスク１の読込み時に、記録されている全ディレクトリ及び全ファイルに独自の番号を割り当てることにより、当該番号による検索用テーブルを作成し、記憶部１７に格納する。ディレクトリに割り当てる番号は、階層の浅い方から記述順に１から始まる連番で割り当てられており、ファイルに割り当てる番号は、ディレクトリ番号の若い順からディレクトリレコードの記述順に割り当てられている。システムコントローラ１０は、この検索用テーブルを用いて所望のディレクトリまたはファイルを検索する。【選択図】  図１
2005327344.tif 000002
【特許請求の範囲】
【請求項１】
記録媒体の読込み時に、記録されている全ディレクトリ及び全ファイルに独自の番号を割り当てることにより、当該番号による検索用テーブルを作成するテーブル作成手段と、
作成した前記検索用テーブルを格納する格納手段と、
前記記録媒体の再生時、前記検索用テーブルを用いてディレクトリまたはファイルを検索する制御手段とを備え、
前記ディレクトリの管理は階層構造となっており、当該ディレクトリに割り当てる番号は、階層の浅い方から記述順に１から始まる連番で割り当てられているとともに、前記ファイルに割り当てる番号は、前記ディレクトリ番号の若い順からディレクトリレコードの記述順に割り当てられており、かつ、前記検索用テーブルには、各ディレクトリの先頭アドレスが各ディレクトリに割り当てられた前記番号に対応付けて格納されているとともに、各ディレクトリにおけるディレクトリ数及びファイル数のオフセット値が各ディレクトリに割り当てられた前記番号に対応付けて格納されており、
前記制御手段は、前記格納手段に格納されている検索用テーブルを前記記録媒体の所定の領域に記録し、以後の装填時には当該記録媒体の前記所定の領域に記録されている検索用テーブルを読み込んで前記格納手段に格納するとともに、記録媒体の再生時、ユーザが任意のディレクトリまたはファイルを選択すると、そのディレクトリまたはファイルに割り当てられている番号をキーに前記検索用テーブルを参照して該当する番号のディレクトリまたはファイルを検索し、そのディレクトリまたはファイルに対応付けられている先頭アドレスを読み出し、光ピックアップを当該先頭アドレス位置に移動させて再生を開始することを特徴とする光ディスク装置。
【請求項２】
記録媒体の読込み時に、記録されている全ディレクトリ及び全ファイルに独自の番号を割り当てることにより、当該番号による検索用テーブルを作成するテーブル作成手段と、
作成した前記検索用テーブルを格納する格納手段と、
前記記録媒体の再生時、前記検索用テーブルを用いてディレクトリまたはファイルを検索する制御手段とを備えることを特徴とする光ディスク装置。
【請求項３】
前記ディレクトリの管理は階層構造となっており、当該ディレクトリに割り当てる番号は、階層の浅い方から記述順に割り当てることを特徴とする請求項２に記載の光ディスク装置。
【請求項４】
前記番号が１から始まる連番であることを特徴とする請求項２または請求項３に記載の光ディスク装置。
【請求項５】
前記ファイルに割り当てる番号は、前記ディレクトリ番号の若い順からディレクトリレコードの記述順に割り当てることを特徴とする請求項３または請求項４に記載の光ディスク装置。
【請求項６】
前記検索用テーブルには、各ディレクトリの先頭アドレスが各ディレクトリに割り当てられた番号に対応付けて格納されているとともに、各ディレクトリにおけるディレクトリ数及びファイル数のオフセット値が各ディレクトリに割り当てられた番号に対応付けて格納されていることを特徴とする請求項３ないし請求項５のいずれかに記載の光ディスク装置。
【請求項７】
前記制御手段は、前記格納手段に格納されている検索用テーブルを前記記録媒体の所定の領域に記録し、以後の装填時には当該記録媒体の前記所定の領域に記録されている検索用テーブルを読み込んで前記格納手段に格納することを特徴とする請求項２ないし請求項６のいずれかに記載の光ディスク装置。
【請求項８】
記録媒体の再生時、前記制御手段は、ユーザが任意のディレクトリまたはファイルを選択すると、そのディレクトリまたはファイルに割り当てられている番号をキーに前記検索用テーブルを参照して該当する番号のディレクトリまたはファイルを検索し、そのディレクトリまたはファイルに対応付けられている先頭アドレスを読み出し、光ピックアップを当該先頭アドレス位置に移動させて再生を開始することを特徴とする請求項２ないし請求項６のいずれかに記載の光ディスク装置。
【発明の詳細な説明】
【技術分野】
【０００１】
本発明は、記録媒体に格納されているディレクトリの検索及びファイルの選択を効率よく行う光ディスク装置に関する。
【背景技術】
【０００２】
近時、記録媒体であるＣＤやＤＶＤでは、ＣＤ−ＲＯＭの論理フォーマット規格であり、ＤＶＤ−ＲＯＭにも採用されているＩＳＯ９６６０規格に則ったファイル構造で記録が行われている。この場合、ＩＳＯ９６６０の規格上、記録媒体内の全ディレクトリの階層構造に関する全情報を格納したパステーブルが記録媒体に書き込まれているので、光ディスク装置では、記録媒体の再生時、そのパステーブルを使用してディレクトリの検索を行う。
【０００３】
この場合、ディレクトリの検索には、パステーブルに書き込まれているディレクトリ名を使用して検索を行っている。また、ファイル選択に関してもファイル名を使用して選択を行っている。
【０００４】
ところで、このようなファイルの検索に要する時間を短縮する方法が従来から提案されている（例えば、特許文献１参照）。この特許文献１に記載されている文書処理装置は、記録媒体から媒体識別情報とファイル識別情報とを抽出して、識別情報対応テーブルに記録することにより、必要な文書ファイルが含まれている記録媒体を迅速に捜し出すことができるようになっている。
【特許文献１】特許登録第２７３５７３１号公報
【発明の開示】
【発明が解決しようとする課題】
【０００５】
上記したように、ＩＳＯ９６６０規格では、ディレクトリの検索に使用するためのパステーブルを備えているが、ディレクトリの検索には、パステーブルに書き込まれているディレクトリ名を使用するため、その文字数が長いほど処理時間を要してしまうといった問題があった。また、ファイル選択に関してもファイル名を使用しているため、同様に文字数が長いほど処理時間を要してしまうといった問題があった。
【０００６】
また、上記特許文献１のものは、文字情報である媒体識別情報とファイル識別情報とを対応付けて表示することにより、ユーザが表示されている識別情報の内容を見て媒体識別情報を選択できるようにしたものであり、装置自体の検索処理の迅速化を図ったものではない。
【０００７】
本発明はかかる問題点を解決すべく創案されたもので、その目的は、ＩＳＯ９６６０規格に則ったファイル構造で記録されている記録媒体のディレクトリの検索及びファイルの選択を、規格上用意されているパステーブルを使用することなく効率よく行うことのできる光ディスク装置を提供することにある。
【課題を解決するための手段】
【０００８】
上記課題を解決するため、本発明の光ディスク装置は、記録媒体の読込み時に、記録されている全ディレクトリ及び全ファイルに独自の番号を割り当てることにより、当該番号による検索用テーブルを作成するテーブル作成手段と、作成した前記検索用テーブルを格納する格納手段と、前記記録媒体の再生時、前記検索用テーブルを用いてディレクトリまたはファイルを検索する制御手段とを備えることを特徴とする。
【０００９】
この場合、前記ディレクトリの管理は階層構造となっており、当該ディレクトリに割り当てる番号は、階層の浅い方から記述順に１から始まる連番で割り当てられており、前記ファイルに割り当てる番号は、前記ディレクトリ番号の若い順からディレクトリレコードの記述順に割り当てられている。
【００１０】
また、前記検索用テーブルには、各ディレクトリの先頭アドレスが各ディレクトリに割り当てられた番号に対応付けて格納されているとともに、各ディレクトリにおけるディレクトリ数及びファイル数のオフセット値が各ディレクトリに割り当てられた番号に対応付けて格納されている。
【００１１】
このような検索用テーブルを作成することで、ディレクトリやファイルの検索時には、対応付けられている番号をキーとして検索することができ、ディレクトリ名やファイル名をキーとして検索する場合に比べて、検索の処理速度が速くなり、かつ検索時間もほぼ一定時間となる。
【００１２】
この場合、前記制御手段は、前記格納手段に格納されている検索用テーブルを前記記録媒体の所定の領域に記録し、以後の装填時には当該記録媒体の前記所定の領域に記録されている検索用テーブルを読み込んで前記格納手段に格納するように構成してもよい。このように、作成した検索用テーブルを記録媒体に記録することで、次回の装填時に再び検索用テーブルを作成する必要がない。
【００１３】
一方、記録媒体の再生時、前記制御手段は、ユーザが任意のディレクトリまたはファイルを選択すると、そのディレクトリまたはファイルに割り当てられている番号をキーに前記検索用テーブルを参照して該当する番号のディレクトリまたはファイルを検索し、そのディレクトリまたはファイルに対応付けられている先頭アドレスを読み出し、光ピックアップを当該先頭アドレス位置に移動させて再生を開始する。
【発明の効果】
【００１４】
本発明の光ディスク装置によれば、記録されている全ディレクトリに階層の浅い方から記述順に１から始まる連番を割り当てるとともに、全ファイルにディレクトリ番号の若い順からディレクトリレコードの記述順に番号を割り当てた検索用テーブルを作成し、この作成した検索用テーブルを用いて検索を行うように構成したので、ディレクトリやファイルの検索時には、対応付けられている番号をキーとして検索することができ、ディレクトリ名やファイル名をキーとして検索する従来の場合に比べて、検索の処理速度を速くすることができるとともに、検索時間もほぼ一定時間とすることができる。
【発明を実施するための最良の形態】
【００１５】
以下、本発明の実施の形態について、図面を参照して説明する。
【００１６】
図１は、本発明の一実施の形態に係る光ディスク装置のシステム構成を示している。
【００１７】
装填された光ディスク１にデータを書き込むとともに光ディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３を光ディスク１の半径方向に移動させるためのフィードモータ４と光ディスク１を回転駆動するスピンドルモータ２とに接続されており、これらデジタル信号処理回路７及びサーボ処理回路９は、装置全体の動作制御を行うシステムコントローラ１０と双方向に接続されている。
【００１８】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、入力端子１６ａから入力されたアナログ信号をデジタル信号に変換するＡ／Ｄ変換回路１６が接続されている。
【００１９】
システムコントローラ１０には、光ディスク１のパラメータやレーザパワーのパラメータ等の固有情報を記憶しておくためのＥＥＰＲＯＭ１１が双方向に接続されるとともに、装置本体前面に設けられたＬＣＤやＦＬＤ等からなる表示パネル１３が接続されている。また、システムコントローラ１０には、後述する検索用テーブルを格納するための例えば不揮発性メモリ等からなる記憶部１７や、リモコン３１からの赤外線信号を受信する受信部１４などが接続されている。なお、検索用テーブルを格納する場所としては、このような記憶部１７の他に図示しないワークＲＡＭ等に格納するようにしてもよい。
【００２０】
デジタル信号処理回路７は、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、外部入力端子１６から入力された映像情報等のデジタルデータを、光ディスク１に書き込むためのデータ圧縮等の処理を行う。
【００２１】
システムコントローラ１０は、装填された光ディスク１の読込み時に、記録されている全ディレクトリ及び全ファイルに独自の番号を割り当てることにより、当該番号による検索用テーブルを作成して記憶部１７に格納する。また、システムコントローラ１０は、記録媒体の再生時、ユーザが任意のディレクトリまたはファイルを選択すると、そのディレクトリまたはファイルに割り当てられている番号をキーに検索用テーブルを参照して該当する番号のディレクトリまたはファイルを検索し、そのディレクトリまたはファイルに対応付けられている先頭アドレスを読み出し、光ピックアップを当該先頭アドレス位置に移動させて再生を開始する。
【００２２】
すなわち、本実施形態では、システムコントローラ１０によって、番号をキーに全ディレクトリ及び全ファイルの検索が可能な独自のパステーブル（ＩＳＯ９６６０の規格で用意されているパステーブルとは異なる独自のパステーブル）を検索用テーブルとして作成している。
【００２３】
なお、このようにして作成された検索用テーブルを、装填されている光ディスク１の所定の領域（例えばユーザデータ領域等）に記録するようにしてもよい。そして、以後の装填時には、その光ディスク１に記録されている検索用テーブルを読み込んで記憶部１７に格納するようにしてもよい。これにより、光ディスク１を装填するたびに検索用テーブルを作成する手間を省くことができる。
【００２４】
次に、上記構成のＤＶＤ装置において、システムコントローラ１０によって作成され、記憶部１７に格納される検索用テーブルについて詳細に説明する。
【００２５】
図２は、光ディスク１に記録されているディレクトリのデータ構造の一例を示している。
【００２６】
ディレクトリは図示の如く階層構造となっている。そして、これらディレクトリに割り当てる番号は、階層の浅い方から記述順に１から始まる連番を割り当てている。図中の括弧付の数字がそのディレクトリに割り当てられた番号を示している。
【００２７】
具体的には、ルートディレクトリが０番であり、その次の階層（第１層）の最上位のディレクトリに１番、その下のディレクトリに２番、さらにその下のディレクトリに３番が順次割り当てられている。そして、次の階層（第２層）に移り、第２層の最上位のディレクトリに続きの番号である４番、その下のディレクトリに５番、さらにその下のディレクトリに６番が順次割り当てられている。そして、次の階層（第３層）に移り、第３層の最上位のディレクトリに続きの番号である７番が割り当てられている。
【００２８】
図２では、説明を簡単にするためにディレクトリの数を７個とし、階層構造も３層までとしているが、実際には各階層に存在するディレクトリの数はもっと多く、かつ、階層も４層、５層・・・とさらに深い階層までディレクトリが関連付けられている場合が多い。
【００２９】
なお、図示は省略しているが、各ディレクトリ内には複数のファイルが保管されている。本実施形態では、図３に示す数のファイルが各ディレクトリに保管されているものとする。すなわち、０番のルートディレクトリには１０個のファイルが保管されており、１番のディレクトリには９個のファイルが保管されており、２番のディレクトリには８個のファイルが保管されており、・・・、７番のディレクトリには３個のファイルが保管されているものとする。そして、本実施形態では、これらのファイルにも１から始まる連番が割り当てられている。
【００３０】
すなわち、ディレクトリ番号の若い順からディレクトリレコードの記述順に割り当てられている。具体的には、例えば１番のディレクトリ内に最初に記述されたファイルの番号は、ルートディレクトリに１０個のファイルが保管されているため（すなわち、１から１０番までが既に割り当てられているため）、１１番となる。また、２番のファイル内に最初に記述されたファイルの番号は、ルートディレクトリに１０個のファイルが保管されており（すなわち、１から１０番までが既に割り当てられており）、１番のディレクトリに９個のファイルが保管されているため（すなわち、１１番から１９番までが既に割り当てられているため）、２０番となる。
【００３１】
図４は、このような条件の下、システムコントローラ１０によって光ディスク１の読込み時に作成された検索用テーブルのデータ構成例を示している。
【００３２】
本実施形態の検索用テーブルは、上記のようにして割り当てられたディレクトリ番号（Directory Number）と、そのディレクトリの先頭アドレス(Directory Extent)と、ファイルオフセット値(File Offset)と、ディレクトリオフセット値(Directory Offset)の各項目からなっている。
【００３３】
ここで、ディレクトリオフセット値は、対応する番号のディレクトリの一つ下の階層を見たときに、その１つ下の階層にディレクトリがあったとして、その階層までにディレクトリが何個あったかを示している。
【００３４】
具体的に説明すると、ディレクトリ番号１に対応するディレクトリオフセット値は３となっている。これは、ディレクトリ番号１の一つ下の階層（第２層）の最上位のディレクトリ（ここでは、ディレクトリ番号４）を見たときに、そのディレクトリに番号４を付与するまでに何個のディレクトリがあったかを示している。すなわち、この場合には、すでにディレクトリ番号１、ディレクトリ番号２、ディレクトリ番号３と３個のディレクトリが存在しているため、ディレクトリ番号１に対応するディレクトリオフセット値が３となっている。
【００３５】
同様に、ディレクトリ番号２に対応するディレクトリオフセット値は５となっている。これは、ディレクトリ番号２の一つ下の階層（第２層）の最上位のディレクトリ（ここでは、ディレクトリ番号６）を見たときに、そのディレクトリに番号６を付与するまでに何個のディレクトリがあったかを示している。すなわち、この場合には、すでに第１層にディレクトリ番号１、ディレクトリ番号２、ディレクトリ番号３の３個、第２層にディレクトリ番号４、ディレクトリ番号５の２個の合計５個のディレクトリが存在しているため、ディレクトリ番号２に対応するディレクトリオフセット値が５となっている。
【００３６】
同様に、ディレクトリ番号３に対応するディレクトリオフセット値は６となっている。これは、ディレクトリ番号３の一つ下の階層（第２層）の最上位のディレクトリ（この例では存在しない）を見たときに、その存在しないディレクトリに仮に番号を付与するとして、それまでに何個のディレクトリがあったかを示している。すなわち、この場合には、すでに第１層にディレクトリ番号１、ディレクトリ番号２、ディレクトリ番号３の３個、第２層にディレクトリ番号４、ディレクトリ番号５、ディレクトリ番号６の３個の合計６個のディレクトリが存在しているため、ディレクトリ番号３に対応するディレクトリオフセット値が６となっている。
【００３７】
同様に、ディレクトリ番号４に対応するディレクトリオフセット値は６となっている。これは、ディレクトリ番号４の一つ下の階層（第３層）の最上位のディレクトリ（ここでは、ディレクトリ番号７）を見たときに、そのそのディレクトリに番号７を付与するまでに何個のディレクトリがあったかを示している。すなわち、この場合には、すでに第１層にディレクトリ番号１、ディレクトリ番号２、ディレクトリ番号３の３個、第２層にディレクトリ番号４、ディレクトリ番号５、ディレクトリ番号６の３個の合計６個のディレクトリが存在しているが、番号３のディレクトリの一つ下の層（第２層）にはディレクトリが存在しないため、ディレクトリ番号４に対応するディレクトリオフセット値もディレクトリ番号３に対応するディレクトリオフセット値と同様６となっている。
【００３８】
同様に、ディレクトリ番号５に対応するディレクトリオフセット値は７となっている。これは、ディレクトリ番号５の一つ下の階層（第３層）の最上位のディレクトリ（この例では存在しない）を見たときに、その存在しないディレクトリに仮に番号を付与するとして、それまでに何個のディレクトリがあったかを示している。すなわち、この場合には、すでに第１層にディレクトリ番号１、ディレクトリ番号２、ディレクトリ番号３の３個、第２層にディレクトリ番号４、ディレクトリ番号５、ディレクトリ番号６の３個、さらに第３層にディレクトリ番号７の１個の合計７個のディレクトリが存在しているため、ディレクトリ番号５に対応するディレクトリオフセット値が７となっている。
【００３９】
同様に、ディレクトリ番号６に対応するディレクトリオフセット値も７となっている。これは、ディレクトリ番号６の一つ下の階層（第３層）の最上位のディレクトリ（この例では存在しない）を見たときに、その存在しないディレクトリに仮に番号を付与するとして、それまでに何個のディレクトリがあったかを示している。すなわち、この場合には、すでに第１層にディレクトリ番号１、ディレクトリ番号２、ディレクトリ番号３の３個、第２層にディレクトリ番号４、ディレクトリ番号５、ディレクトリ番号６の３個、さらに第３層にディレクトリ番号７の１個の合計７個のディレクトリが存在しているため、ディレクトリ番号６に対応するディレクトリオフセット値も７となっている。
【００４０】
同様に、ディレクトリ番号７に対応するディレクトリオフセット値も７となっている。これは、ディレクトリ番号７の一つ下の階層（第４層）の最上位のディレクトリ（この例では存在しない）を見たときに、その存在しないディレクトリに仮に番号を付与するとして、それまでに何個のディレクトリがあったかを示している。すなわち、この場合には、すでに第１層にディレクトリ番号１、ディレクトリ番号２、ディレクトリ番号３の３個、第２層にディレクトリ番号４、ディレクトリ番号５、ディレクトリ番号６の３個、さらに第３層にディレクトリ番号７の１個の合計７個のディレクトリが存在しているため、ディレクトリ番号７に対応するディレクトリオフセット値も７となっている。
【００４１】
以上をまとめると、ディレクトリオフセット値は次のような意味を持っている。すなわち、任意のディレクトリ番号の一つ下の階層に当該ディレクトリに連なる下層ディレクトリが存在する場合に、その任意のディレクトリ番号に対応するディレクトリオフセット値に１を足すことによって、その下層ディレクトリに付与する番号となる。
【００４２】
一方、ファイルオフセット値は、対応する番号のディレクトリの一つ前の番号のディレクトリまでに何個のファイルが含まれているのかを示している。
【００４３】
具体的に説明すると、ディレクトリ番号１に対応するファイルオフセット値は１０となっている。これは、ディレクトリ番号１の一つ前のルートディレクトリに保管されているファイルが図３より１０個であるため、ディレクトリ番号１に対応するファイルオフセット値が１０となっている。
【００４４】
同様に、ディレクトリ番号２に対応するファイルオフセット値は１９となっている。これは、ディレクトリ番号２の一つ前のディレクトリ番号１まで（すなわち、０番のルートディレクトリと、ディレクトリ番号２のディレクトリの両方）に保管されているファイルの合計が図３より１９個（＝１０＋９）であるため、ディレクトリ番号２に対応するファイルオフセット値が１９となっている。各ディレクトリ番号のファイルオフセット値については、以下同様にして、図３に示すファイルの個数を順次加算した個数が、ディレクトリオフセット値として検索用テーブルに書き込まれている。
【００４５】
上記のように構成された検索用テーブル（独自のパステーブル）を作成し、ディスク再生時にこの検索用テーブルを使用することで、ディレクトリの検索時及びファイルの選択時に、どのファイルがどのディレクトリに格納されているのかの検索が容易（すなわち、比較するデータ量が少ない分容易）となり、その結果、検索処理速度を高速かつ一定にすることができるものである。
【００４６】
この検索処理について具体的に説明すると、例えば、ユーザが表示装置２１に表示されたアーティスト名を選択すると、そのアーティスト名には独自に割り当てられたファイル番号が付与されている。このファイル番号が例えば３６番だとすると、システムコントローラ１０は、このファイル番号３６をキーとして、検索用テーブルを検索する。すなわち、システムコントローラ１０は、検索用テーブルのファイルオフセット値を参照した結果、ディレクトリ番号４のファイルオフセット値が３４であり、ディレクトリ番号５のファイルオフセット値が４０であることから、検索対象である３６番のファイルがディレクトリ番号４に含まれていると判断し、ディレクトリ番号４のディレクトリの先頭アドレスを取得する。後は、この取得した先頭アドレスまで光ピックアップ３を移動させ、さらにそのディレクトリの中に入っている２番目のファイルの先頭アドレスまで移動させて再生を開始する。
【００４７】
これに対し、従来のパステーブルを使用した場合には、ユーザが選択したアーティスト名をキーとしてパステーブルを検索することになり、同じアーティスト名で多数のファイルが記録されている場合には、そのアーティスト名のところを全て捜しにいくことになる。
【００４８】
本実施形態の光ディスク装置によれば、ディスク読込み時に独自に作成した検索用テーブルを使用することで、例えば、ランダムに発生させた番号だけで再生を行うランダム再生のような場合に、その番号に該当するファイルをダイレクトに捜し出すことが可能となる。
【図面の簡単な説明】
【００４９】
【図１】本発明の光ディスク装置のシステム構成図である。
【図２】ディスクに記録されているデータ構造の一例を示す説明図である。
【図３】各ディレクトリに保管されているファイルの数の一例を示す説明図である。
【図４】本発明に係わる検索用テーブルのデータ構成例を示す説明図である。
【符号の説明】
【００５０】
１  光ディスク
２  スピンドルモータ
３  光ピックアップ
４  フィードモータ
５  ＲＦアンプ
６  ＤＲＡＭ
７  デジタル信号処理回路
８  レーザドライバ
９  サーボ処理回路
１０  システムコントローラ
１１  ＥＥＰＲＯＭ
１２  Ｄ／Ａ変換回路
１３  表示パネル
１４  受信部
１６  Ａ／Ｄ変換回路
１７  記憶部
２１  表示装置
３１  リモコン
【図１】
2005327344.tif 000003
【図２】
2005327344.tif 000004
【図３】
2005327344.tif 000005
【図４】
2005327344.tif 000006